(57)【要約】【課題】画像の色偏差を迅速かつ正確に校正できる感光ユニットの色彩を校正する方法及び装置を提供する。【解決手段】コンピューター本体１１、表示ユニット１２、入力装置１３および撮影装置１４を備える。撮影装置１４は、感光ユニットと単独選択制御ボタン１８と調整制御ボタン１９とを含む。前置設定ステップは、撮影装置１４にマスクを配置し、第一応用プログラムにより表示ユニット１２の現像色彩を校正する。初期化設定ステップは、第二応用プログラムにより感光ユニットの色彩の初期値を設定する。校正ステップは、感光ユニットにおいてカラーカード上のカラーブロックの色彩値を取り、予め設定された色彩値と比較する。色彩校正ステップは、校正ステップの比較結果に基づいて感光ユニットの内部の色彩利得値を調整し、色偏差を校正して標準色彩値を復元させる。【選択図】図１
2007333719.tif 000002
【特許請求の範囲】
【請求項１】
電子装置に適用され、電子装置はコンピューター本体、表示ユニット、入力装置および撮影装置を備え、撮影装置は少なくとも一つの感光ユニットと少なくとも一つの単独選択制御ボタンと複数の調整制御ボタンとを含み、電子装置は感光ユニットの色彩値の偏差を校正する第一応用プログラムと第二応用プログラムとを含む感光ユニットの色彩校正方法であって、
撮影装置にマスクを配置する作業と、
第一応用プログラムにより表示ユニットの現像色彩を校正する作業と、
を含む前置設定ステップを執行するステップと、
第二応用プログラムにより感光ユニットの色彩の初期値を設定する初期化設定ステップを執行するステップであって、
感光ユニットの焦点を調整する作業と、
複数の予め設定された色彩値をコンピューター本体に保存する作業と、
所定の位置にカラーカードを配置し、少なくとも一つのカラーブロックを提供する作業と、を含む初期化設定ステップを執行するステップと、
感光ユニットにおいてカラーカード上のカラーブロックの色彩値を取り、予め設定された色彩値と比較する校正ステップを執行するステップと、
校正ステップの比較結果に基づいて感光ユニットの内部の色彩利得値を調整し、色偏差を校正して標準色彩値を復元させる色彩校正ステップを執行するステップと、
を含むことを特徴とする感光ユニットの色彩校正方法。
【請求項２】
初期化設定ステップは、コンピューター本体中の第二応用プログラムを起動し、即時映像の運行を設定し、続いて、単独選択制御ボタンを押し、第二応用プログラムを単独選択設定ウィンドウに切り換え、後続のそれぞれの画像を撮る初期化設定を進める作業を含むことを特徴とする請求項１に記載の感光ユニットの色彩校正方法。
【請求項３】
感光ユニットの焦点調整設定は、焦点設定の選択項目に進み、幾何校正パターンにより項目選択設定ウィンドウにおいて少なくとも一つのズーム数値を調整し、感光ユニットの焦点を設定する作業を含むことを特徴とする請求項１に記載の感光ユニットの色彩校正方法。
【請求項４】
初期化設定ステップは、オートホワイトバランス設定、自動露出補正設定、特殊設定およびシャッター画面輝度置換設定などを含むことを特徴とする請求項１に記載の感光ユニットの色彩校正方法。
【請求項５】
複数のカラーブロックは、カラーカード上に配置され、カラーカードはマスクの側辺に固定され、カラーブロックは第二応用プログラムのメイン画面の設定位置に対応するように設けられることを特徴とする請求項１に記載の感光ユニットの色彩校正方法。
【請求項６】
カラーカードは、青色、緑色、赤色、黒色、白色、水色、ピンク色および黄色などのブロックを有することを特徴とする請求項５に記載の感光ユニットの色彩校正方法。
【請求項７】
第二応用プログラムのメイン画面は、側辺に複数の小さい枠から組成される枠区域を有し、複数の小さい枠はカラーカード上の青色、緑色、赤色、黒色および白色などのブロックに照準を合わせるように設けられることを特徴とする請求項５に記載の感光ユニットの色彩校正方法。
【請求項８】
校正ステップを執行する際、対応する表示ウィンドウを介して自動露出補正設定の項目選択ウィンドウ、オートホワイトバランス設定の項目選択ウィンドウ、特殊設定の項目選択ウィンドウまたはシャッター画面輝度置換設定の項目選択ウィンドウに進み、前記それぞれの項目選択ウィンドウにおいて同時に表示される色彩校正パターンと標準白色確認ランプを含むことが可能であることを特徴とする請求項１に記載の感光ユニットの色彩校正方法。
【請求項９】
色彩校正ステップを執行する際、対応する表示ウィンドウにおいて可動円形パターンを固定円形パターンに合わせることにより、感光ユニットの内部の色彩利得値を調整し、色偏差を校正し、標準色彩値を復元させることを特徴とする請求項８に記載の感光ユニットの色彩校正方法。
【請求項１０】
色彩校正ステップは、
自動露出補正設定の項目選択ウィンドウに進み、絞り調整と輝度数値設定を執行する作業と、
オートホワイトバランス設定の項目選択ウィンドウに進み、赤色利得値と青色利得値の設定を調整することにより、ウィンドウ中の色彩校正パターンの可動円形パターンを固定円形パターンに合わせる作業と、
再び自動露出補正設定の項目選択ウィンドウに進み、絞り調整の設定数値を少しずつ調整変更し、ウィンドウ中の標準白色確認ランプが点滅せずに穏やかに光るような状態となれば、感光ユニットの色偏差校正が完了する作業と、
を含むことを特徴とする請求項１に記載の感光ユニットの色彩校正方法。
【請求項１１】
校正ステップは、コンピューター本体中の第二応用プログラムを起動し、即時映像の運行を設定し、続いて、単独選択制御ボタンを押し、第二応用プログラムを単独選択設定ウィンドウに切り換え、校正ステップを進める作業を含むことを特徴とする請求項１０に記載の感光ユニットの色彩校正方法。
【請求項１２】
第一応用プログラムは、画面色彩校正プログラムであることを特徴とする請求項１に記載の感光ユニットの色彩校正方法。
【請求項１３】
第二応用プログラムは、色彩調整応用プログラムであることを特徴とする請求項１に記載の感光ユニットの色彩校正方法。
【請求項１４】
撮影装置は、設備配置スタンドの受け台に固定されることを特徴とする請求項１に記載の感光ユニットの色彩校正方法。
【請求項１５】
受け台は、診察対象の口部に照準を合わせて舌象を撮り、高さを調整することを可能にする機構設計を有することを特徴とする請求項１４に記載の感光ユニットの色彩校正方法。
【請求項１６】
撮影装置の感光ユニットは、ＣＣＤまたはＣＭＯＳであることを特徴とする請求項１に記載の感光ユニットの色彩校正方法。
【請求項１７】
表示ユニットと、
入力装置と、
少なくとも一つの感光ユニット、少なくとも一つの単独選択制御ボタンおよび複数の調整制御ボタンを有する撮影装置と、
表示ユニット、入力装置および撮影装置に接続されるコンピューター本体と、
カラーカードと、
を備え、
前置設定ステップを執行する際に、第一応用プログラムにより表示ユニットの現像色彩を校正し、続いて、初期化設定ステップを執行する際に、第二応用プログラムにより感光ユニットの焦点を調整し、複数の予め設定された色彩値をコンピューター本体に保存し、所定の位置にカラーカードを配置し、続いて、校正ステップを執行する際に、感光ユニットにおいてカラーカード上の複数のカラーブロックの色彩値を取り、予め設定された色彩値と比較し、続いて、色彩校正ステップを執行する際に、校正ステップの比較結果に基づいて感光ユニットの内部の色彩利得値を調整し、色偏差を校正して標準色彩値を復元させることを特徴とする感光ユニットの色彩校正装置。
【請求項１８】
初期化設定ステップは、コンピューター本体中の第二応用プログラムを起動し、即時映像の運行を設定し、続いて、単独選択制御ボタンを押し、第二応用プログラムを単独選択設定ウィンドウに切り換え、後続のそれぞれの画像を撮る初期化設定を進める作業を含むことを特徴とする請求項１７に記載の感光ユニットの色彩校正装置。
【請求項１９】
感光ユニットの焦点調整設定は、焦点設定の選択項目に進み、幾何校正パターンにより項目選択設定ウィンドウにおいて少なくとも一つのズーム数値を調整し、感光ユニットの焦点を設定する作業を含むことを特徴とする請求項１７に記載の感光ユニットの色彩校正装置。
【請求項２０】
初期化設定ステップは、オートホワイトバランス設定、自動露出補正設定、特殊設定およびシャッター画面輝度置換設定などを含むことを特徴とする請求項１７に記載の感光ユニットの色彩校正装置。
【請求項２１】
複数のカラーブロックは、カラーカード上に配置され、カラーカードはマスクの側辺に固定され、カラーブロックは第二応用プログラムのメイン画面の設定位置に対応するように設けられることを特徴とする請求項１７に記載の感光ユニットの色彩校正装置。
【請求項２２】
カラーカードは、青色、緑色、赤色、黒色、白色、水色、ピンク色および黄色などのブロックを有することを特徴とする請求項１７に記載の感光ユニットの色彩校正装置。
【請求項２３】
第二応用プログラムのメイン画面は、側辺に複数の小さい枠から組成される枠区域を有し、複数の小さい枠はカラーカード上の青色、緑色、赤色、黒色、白色などのブロックに照準を合わせるように設けられることを特徴とする請求項２２に記載の感光ユニットの色彩校正装置。
【請求項２４】
校正ステップを執行する際、対応する表示ウィンドウを介して自動露出補正設定の項目選択ウィンドウ、オートホワイトバランス設定の項目選択ウィンドウ、特殊設定の項目選択ウィンドウまたはシャッター画面輝度置換設定の項目選択ウィンドウに進み、前記それぞれの項目選択ウィンドウにおいて同時に表示される色彩校正パターンと標準白色確認ランプを含むことが可能であることを特徴とする請求項１７に記載の感光ユニットの色彩校正装置。
【請求項２５】
色彩校正ステップを執行する際、対応する表示ウィンドウにおいて可動円形パターンを固定円形パターンに合わせることにより、感光ユニットの内部の色彩利得値を調整し、色偏差を校正し、標準色彩値を復元させることを特徴とする請求項１７に記載の感光ユニットの色彩校正装置。
【請求項２６】
色彩校正ステップは、
自動露出補正設定の項目選択ウィンドウに進み、絞り調整と輝度数値設定を執行する作業と、
オートホワイトバランス設定の項目選択ウィンドウに進み、赤色利得値と青色利得値の設定を調整することにより、ウィンドウ中の色彩校正パターンの可動円形パターンを固定円形パターンに合わせる作業と、
再び自動露出補正設定の項目選択ウィンドウに進み、絞り調整の設定数値を少しずつ調整変更し、ウィンドウ中の標準白色確認ランプが点滅せずに穏やかに光るような状態となれば、感光ユニットの色偏差校正が完了する作業と、
を含むことを特徴とする請求項１７に記載の感光ユニットの色彩校正装置。
【請求項２７】
校正ステップは、コンピューター本体中の第二応用プログラムを起動し、即時映像の運行を設定し、続いて、単独選択制御ボタンを押し、第二応用プログラムを単独選択設定ウィンドウに切り換え、校正ステップを進める作業を含むことを特徴とする請求項１７に記載の感光ユニットの色彩校正装置。
【請求項２８】
第一応用プログラムは、画面色彩校正プログラムであることを特徴とする請求項１７に記載の感光ユニットの色彩校正装置。
【請求項２９】
第二応用プログラムは、色彩調整応用プログラムであることを特徴とする請求項１７に記載の感光ユニットの色彩校正装置。
【請求項３０】
撮影装置は、設備配置スタンドの受け台に固定されることを特徴とする請求項１７に記載の感光ユニットの色彩校正装置。
【請求項３１】
受け台は、診察対象の口部に照準を合わせて舌象を撮り、その高さを調整することを可能にする機構設計を有することを特徴とする請求項３０に記載の感光ユニットの色彩校正装置。
【請求項３２】
撮影装置の感光ユニットは、ＣＣＤまたはＣＭＯＳであることを特徴とする請求項１７に記載の感光ユニットの色彩校正装置。
【発明の詳細な説明】
【技術分野】
【０００１】
本発明は、感光ユニットの色彩を校正する方法、詳しく言えば、コンピューター化舌象診察システムの撮影レンズ内部の感光ユニットの色彩値の校正に適用し、かつ舌の色を正確に表示し、診察の便を図るように色偏差を迅速に修正することにより、感光ユニットの画像色彩を校正する方法に関するものである。
【背景技術】
【０００２】
漢方診療医学理論では、望診と切診の組み合わせが最も重要であるとされる。望診の中では、舌診が人体の状態を最も容易に観察できるとされる。舌の色と特性と形を観察することにより、人体の健康状態に関する重要な情報を獲得できる。
通常、舌診とは医師が経験と視覚観察に基づいて診察するというものであるため、舌の色や形などの主観要素が原因による判断結果の誤差が起こることは避けられず、病状の判断に影響を与えてしまうことがある。
【０００３】
また、電子技術が進歩し、画像レイアウト、処理技術などの応用分野が成熟するのに伴い、撮影装置により舌のデジタル化画像を撮り、コンピューター設備及び応用プログラムによりコンピューター化画像の対比と診察を進めることが可能となる。それに対し、本発明者の取得した特許文献１の舌象画像の対比および診察は、特許請求したシステム構造により、漢方診断過程においての診察判断を補助し、従来の診察のように環境、個人的な経験、視覚判断などが原因で舌診が影響を受けるという問題を減少あるいは解決し、かつコンピューター化応用プログラムにより舌象の特性に対して定量分析を進め、客観的な診察標準を提供し、判断誤差を低減させることが可能になるだけでなく、撮影した舌象を保存することにより、治療過程追跡の便を図ることができ、医療人員の訓練にも役立ち、医学技術の情報を良好に継承していくことが可能になる。
【０００４】
前記特許案は、撮影装置により舌のデジタル化カラー画像を迅速に撮る。撮影装置により画像を撮る際、撮影装置の内部に配置される感光ユニット（例えば、ＣＣＤやＣＭＯＳなど）は焦点を対照に合わせて撮った光学画像を時間に伴って変化するビデオ信号に転換し、そののち、伝送径路を介して信号を監視器に伝送する。しかし、感光ユニットと監視器により得た画像の色彩の色偏差または歪みは、コンピューターによる診察対比の偏差が起こる原因の一つになる。従って、感光ユニットと監視器によって得た画像の色偏差または歪みを低減させたり、校正したりすれば、舌象望診の正確性を向上させ、判断を補助し、病状の判断及び投薬に役立つことが可能である。
【０００５】
【特許文献１】中華民国特許第０８８１１２号
【発明の開示】
【発明が解決しようとする課題】
【０００６】
本発明の主な目的は、上述の欠点を解決するために、応用ソフトウェアの運用と標準色彩値の設定により、感光ユニットの撮った画像の色偏差を迅速かつ正確に校正および修正することを可能にする感光ユニットの色彩校正方法を提供することである。従って、本発明は、電子装置の撮影装置とレンズ内部の感光ユニットの色彩値の校正に適用し、かつ舌の色を正確に表示し、診察の便を図ることが可能である。
【課題を解決するための手段】
【０００７】
上述の目的を達成するために、本発明は、感光ユニットの色彩を校正する方法および装置を提供し、これらは電子装置に適用される。この電子装置は、コンピューター本体、表示ユニット、入力装置および撮影装置を備える。撮影装置は、感光ユニットと複数の単独選択制御ボタンと調整制御ボタンとを含む。電子装置は、感光ユニットの色彩値の偏差を校正する第一応用プログラムと第二応用プログラムとを含む。その校正方法は、まず撮影装置にマスクを配置し、第一応用プログラムにより表示ユニットの現像色彩を校正する前置設定ステップを執行する。続いて、第二応用プログラムにより感光ユニット色彩の初期値を設定し、感光ユニットの焦点を調整し、かつ予め設定された色彩値をコンピューター本体に保存し、所定の位置にカラーカードを配置する初期化設定ステップを執行する。続いて、感光ユニットにおいてカラーカード上のカラーブロックの色彩値を取り、予め設定された色彩値と比較する校正ステップを執行する。続いて、校正ステップの比較結果に基づいて感光ユニット内部の色彩利得値を調整し、色偏差を校正し、標準色彩値を復元させる色彩校正ステップを執行する。
【０００８】
本発明の実施例の記載の通り、上述の初期化設定ステップは、コンピューター本体中の第二応用プログラムを起動し、即時映像の運行を設定し、続いて、単独選択制御ボタンを押し、第二応用プログラムを単独選択設定ウィンドウに切り換え、後続のそれぞれの画像を撮る初期化設定を進める作業を含む。
【０００９】
本発明の実施例の記載の通り、上述の感光ユニットの焦点調整設定は、焦点設定の選択項目に進み、幾何校正パターンにより項目選択設定ウィンドウにおいてズーム数値を調整し、感光ユニットの焦点を設定することを含む。
本発明の実施例の記載の通り、上述の初期化設定ステップは、オートホワイトバランス、自動露出補正、特殊設定およびシャッター画面輝度置換などの設定を含む。
【００１０】
本発明の実施例の記載の通り、複数のカラーブロックは、カラーカード上に配置され、カラーカードはマスクの側辺に固定される。また、カラーブロックは、第二応用プログラムのメイン画面の相関的な位置に対応するように設けられる。
本発明の実施例の記載の通り、上述のカラーカードは、青色、緑色、赤色、黒色、白色、水色、ピンク色および黄色などのブロックを有する。
【００１１】
本発明の実施例の記載の通り、上述の第二応用プログラムのメイン画面は、側辺に複数の小さい枠から組成される枠区域を有し、複数の小さい枠はカラーカード上の青色、緑色、赤色、黒色、白色などのブロックに照準を合わせるように設けられる。
本発明の実施例の記載の通り、色彩校正ステップを執行する際、対応する表示ウィンドウにおいて可動円形パターンを固定円形パターンに合わせることにより、感光ユニット内部の色彩利得値を調整し、色偏差を校正し、標準色彩値を復元させる。
【００１２】
上述をまとめてみると、本発明による感光ユニットの色彩を校正する方法と装置は、電子装置に適用可能である。かつ本発明は、従来の舌象診察システムの欠点を克服し、感光ユニットと監視器により得た画像の色偏差または歪みを低減させたり、校正したりすることが可能であるため、診断の正確性を向上させることが可能とある。
【発明を実施するための最良の形態】
【００１３】
以下、本発明の実施例と図面に基づいて本発明の技術内容、目的および効果を説明する。
図１は、本発明の一実施例による感光ユニットの色彩を校正する方法を応用したコンピューター化舌象診察システム構造を示す模式図である。本実施例は、コンピューター化舌象診察システム１に適用され、撮った画像の色彩の色偏差を迅速かつ正確に校正および修正することが可能である。コンピューター化舌象診察システム１は、コンピューター本体１１、コンピューター本体１１に接続される表示ユニット１２、入力装置１３および撮影装置１４から構成される。コンピューター化舌象診察システム１は、第一応用プログラムと第二応用プログラムとを含む。
【００１４】
撮影装置１４は、設備配置スタンド１５の受け台１６上に固定することも可能である。受け台１６は、高さを調整可能な機構設計（一般的な機構設計であるため、詳細な説明を省く）を有するため、容易に診察対象の口部に照準を合わせて舌象を撮ることが可能である。撮影装置１４は、外部に撮影レンズ（図中未表示）を有し、内部に周知のＣＣＤまたはＣＭＯＳなどの感光ユニット（図中未表示）を有する。本実施例では、感光ユニットはＣＣＤである。撮影レンズは、外部にマスク１７を有し、マスク１７により環境要因の影響を受けることなく、画像を正確に撮ることが可能である。また、撮影装置１４は、設定と操作の便を図るために、背面の端面に少なくとも一つの単独選択制御ボタン（ＭＥＮＵ）１８と複数の調整制御ボタン１９（図中未表示）とを有する。撮影装置１４は、インターフェースを介してコンピューター本体１１に電気的に接続される。
【００１５】
図２は、本発明の一実施例による感光ユニットの色彩を校正する方法を表示するプロセスを示す図である。図に示すように、本実施例による感光ユニットの色彩校正方法は、下記の通りである。
前置設定ステップにおいて、ステップ２００に示す通り、次の作業を含む。
【００１６】
（ａ）撮影装置１４の所定の位置にマスク１７を配置する。ステップ２０００に示すように、マスク１７、撮影装置と撮影レンズの間に適当な距離を置き、マスクを水平状態に維持すれば、撮影レンズと感光ユニットによりいっそう画像を正確に撮らせることが可能なだけでなく、環境要因の影響を受けにくくなる。
【００１７】
（ｂ）表示ユニット１２の現像色彩校正設定を執行する。ステップ２０２に示すように、コンピューター本体１１に内蔵されている第一応用プログラム（例えば、画面色彩校正プログラムなど）により、表示ユニット１２の現像色彩を校正および設定し、良好な標準範囲の現像を得る。本実施例では、第一応用プログラムはColorplusである。
初期化設定ステップにおいて、ステップ２０２に示す通り、次の作業を含む。
【００１８】
（ａ）複数の予め設定された色彩値をコンピューター本体に保存する。予め設定された色彩値を得る方法は、同型の感光ユニットによりｎ枚のカラーカードのそれぞれの色彩値を読み取り、前述の複数の色彩値の平均値を算出することにより、複数の予め設定された色彩値を得ることである。
【００１９】
（ｂ）コンピューター本体１１に内蔵されている第二応用プログラム（例えば、各種の色彩調整応用プログラムなど）を起動し、起動したウィンドウにおいて即時映像の運行状態を指定する。続いて、撮影装置１４後端の単独選択制御ボタン（ＭＥＮＵ）１８を押し、第二応用プログラムを単独選択設定ウィンドウＡに切り換える。図３に示すように、表示ユニット１２の画面においてそれぞれの画像を撮る初期値設定、例えば、焦点設定（ＦＯＣＵＳ  ＳＥＴ）、オートホワイトバラス設定（ＡＷＢ  ＳＥＴ）、自動露出補正設定（ＡＥ  ＳＥＴ）、特殊設定（ＳＰＥＣＩＡＬ  ＳＥＴ）およびシャッター画面輝度選択置換設定（Ｆ  ＯＳＤ  ＤＩＳＰ）などを執行することにより、色彩標準値を設定する。
【００２０】
（ｃ）ステップ２０２０に示すように、感光ユニット（ＣＣＤ）の焦点調整作業を執行する。上述の単独選択設定ウィンドウＡを介して焦点設定（ＦＯＣＵＳ  ＳＥＴ）の選択項目に進み、図４に示すように、項目選択設定ウィンドウにおいてズーム（ＺＯＯＭ）によりズーム数値を調整する。続いて、ウィンドウを切り換え、図５に示すような幾何校正パターンにより感光ユニット（ＣＣＤ）の焦点を調整する。幾何校正パターンの線条が重ならない状態（図６に示すようなパターン）を呈する場合、図７に示すように、線条が重なるようにズーム数値を調整し、即ち、最も良好な焦点設定を執行することにより、最も良好な舌象の画像を得ることが可能である。
【００２１】
（ｄ）初期値設定ステップを執行することにより、標準色彩値を設定する。ステップ２０２２に示す通り、次の作業を含む。
（１）オートホワイトバラス設定（ＡＷＢ  ＳＥＴ）。
上述の単独選択設定ウィンドウＡを介してオートホワイトバランス設定（ＡＷＢ  ＳＥＴ）の選択項目に進み、図８に示すように表示したウィンドウを介して画像を撮る過程においてのオートホワイトバランス動作を設定する。
【００２２】
（２）自動露出補正設定（ＡＥ  ＳＥＴ）。
上述の単独選択設定ウィンドウＡを介して自動露出補正設定（ＡＥ  ＳＥＴ）の選択項目に進み、図９に示すように表示したウィンドウを介して選択項目のそれぞれの初期値を設定する。
【００２３】
（３）特殊設定（ＳＰＥＣＩＡＬ  ＳＥＴ）。
上述の単独選択設定ウィンドウＡを介して特殊設定（ＳＰＥＣＩＡＬ  ＳＥＴ）の選択項目に進み、図１０に示すように表示したウィンドウを介して選択項目のそれぞれの初期値を設定する。
【００２４】
（４）シャッター画面輝度選択置換設定（Ｆ  ＯＳＤ  ＤＩＳＰ）。
上述の単独選択設定ウィンドウＡを介してシャッター画面輝度選択置換設定（Ｆ  ＯＳＤ  ＤＩＳＰ）の選択項目に進み、図１１に示すように表示したウィンドウを介して選択項目のそれぞれの初期値を設定する。
【００２５】
（５）ステップ２０２４に示すように、カラーカード３を製作し、これらを所定の位置に配置する。カラーカード３は、少なくとも一つのカラーブロック３１を有し、本実施例において、青色ブロック３１１、緑色ブロック３１２、赤色ブロック３１３、黒色ブロック３１４、白色ブロック３１５、水色ブロック３１６、ピンク色ブロック３１７および黄色ブロック３１８を有する。図１２に示すように、カラーカード３は上述のマスク１７の側辺に位置するように固定され、複数のカラーブロック３１は第二応用プログラムのメイン画面Ｂの設定位置に対応するように設けられる。
【００２６】
上述の第二応用プログラムのメイン画面Ｂは、表示ユニット１２中に表示され、メイン画面Ｂの表示したウィンドウ内容は図１３に示す通りである。メイン画面Ｂは、撮影ユニット１４により得た幾何校正パターン（図５に示す通り）と、複数の小さい枠３３から組成されかつ側辺に位置する枠区域３２とを含む。本実施例では、カラーカード３のカラーブロック３１上に配列される青色ブロック３１１、緑色ブロック３１２、赤色ブロック３１３、黒色ブロック３１４および白色ブロック３１５は、図１４に示すように、枠区域３２の複数の小さい枠３３に対応する。
【００２７】
続いて、ステップ２０４に示すように、校正ステップを執行する。感光ユニットは、カラーカード３上の青色ブロック３１１、緑色ブロック３１２、赤色ブロック３１３、黒色ブロック３１４および白色ブロック３１５などの色彩数値を読み取る。そののち、コンピューター本体１１は、前述の数値と予め設定された色彩数値とを比較する。続いて、コンピューター本体１１は、色彩校正ステップを執行し、校正ステップの比較結果に基づいて感光ユニット内部の色彩利得値を調整し、色偏差を校正し、標準色彩値を復元させる。
【００２８】
つまり、感光ユニットから読み取られたカラーカード３上の色彩数値と予め設定された色彩数値を比較し、ＲＧＢ色彩空間数値をＸＹＺ色彩空間数値に転換し、そののち、再び前述の数値をＣＩＥＬＡＢに転換する。また、標準白色を色彩校正の基準にすれば、感光ユニット内部のＲＧＢ利得値を調整し、色彩を校正するようにする。また、ＲＧＢ色彩空間数値は、次のような映像校正数学式によりＸＹＺ色彩空間数値に転換することが可能である。
【００２９】
Ｌ*＝１１６（Ｙ／Ｙn）1/3−１６
ａ*＝５００［（Ｘ／Ｘn）1/3−（Ｙ／Ｙn）1/3］
ｂ*＝２００［（Ｙ／Ｙn）1/3−（Ｚ−Ｚn）1/3］
Ｃ*ab＝（ａ*2＋ｂ*2）1/2
ｈab＝ｔａｎ-1（ｂ*／ａ*）＝ａｒｃｔａｎ（ｂ*／ａ*）
そのうち、Ｌは明度、ａは赤緑色軸上の色彩数値、ｂは黄青色軸上の色彩数値、ｃは鮮明度、ｈは色相角である。
【００３０】
色彩校正ステップは、下記の作業を含む。
（ａ）コンピューター本体１１に内蔵されている第二応用プログラムを起動し、起動したウィンドウにおいて即時映像の運行状態を設定し、ステップ２０２０において感光ユニットの焦点を調整する際に使用した幾何校正パターンを切り換える。そののち、撮影装置１４の後端の単独選択制御ボタン（ＭＥＮＵ）１８を押し、続いて、自動露出補正設定(ＡＥ  ＳＥＴ)の選択項目に進み、絞り調整設定（ＩＲＩＳ  ＡＤＩＵＳＴ）を執行し、図１５に示すように、輝度を数値２００に達するように調整する（注、ウィンドウで表示したＩＲＩＳ  ＡＤＩＵＳＴは一例に過ぎず、必ずしも数値１００に設定されるとは限らない）。
【００３１】
（ｂ）続いて、オートホワイトバランス設定（ＡＷＢ  ＳＥＴ）の選択項目に進み、図１６に示すように、赤色利得値（ＲＥＤ  ＧＡＩＮ）と青色利得値（ＢＬＵＥ  ＧＡＩＮ）の設定を調整し、図１７に示すように、ウィンドウの右下側に表示された色彩校正パターンｃ中の可動円形パターン４１を固定円形パターン４２に合わせる。ここで、ウィンドウ中に表示された赤色利得値（ＲＥＤ  ＧＡＩＮ）と青色利得値（ＢＬＵＥ  ＧＡＩＮ）は一例に過ぎず、必ずしも図面に示す数値であるとは限らない。
【００３２】
（ｃ）再び自動露出補正設定(ＡＥ  ＳＥＴ)の選択項目に進み、絞り調整（ＩＲＩＳ  ＡＤＩＵＳＴ）の設定数値を少しずつ調整および変更し、図１８に示すように、ウィンドウの右側に表示された標準白色確認ランプ４３が点滅せずに穏やかに光るような状態となれば、感光ユニットの色偏差校正が完了する。ステップ２０６に示すように、感光ユニットを標準色彩値に維持した上で舌象を撮る。
【００３３】
ここで、撮影装置１４の撮った映像データは、コンピューター本体１１に入力された後、第二応用プログラムにより処理される。第二応用プログラムは、感光ユニット内部のレンズを操作し、レンズを前後に移動させることにより、焦点を調整することが可能である。また、第二応用プログラムは、前述の映像校準正数学式を確実に実行し、ＲＧＢ色彩空間数値をＸＹＺ色彩空間数値に転換することが可能である。
【００３４】
上述したものは本発明の好ましい一例に過ぎず、本発明を限定することができないため、本発明の精神と範疇を逸脱しない限り、修飾と変更を加えるのはすべて本発明の請求範囲に属するべきである。
また、上述の通り、本発明による方法と運用形態は革新的であり、かつ周知のものと比べて上述の効果を増進するため、特許出願請求の条件を満たすと考えられる。
【図面の簡単な説明】
【００３５】
【図１】本発明の一実施例による感光ユニットの色彩を校正する装置のコンピューター化舌象診察システム構造を示す模式図である。
【図２】本発明の一実施例による感光ユニットの色彩を校正する方法のプロセスを示す図である。
【図３】本発明の一実施例による感光ユニットの色彩を校正する方法の応用プログラムの単独選択設定ウィンドウを示す図である。
【図４】本発明の一実施例による感光ユニットの色彩を校正する方法の焦点設定ウィンドウを示す図である。
【図５】本発明の一実施例による感光ユニットの色彩を校正する方法の焦点を設定する際に応用する幾何校正パターンを示す模式図である。
【図６】本発明の一実施例による感光ユニットの色彩を校正する方法の焦点調整が完了する前の幾何校正パターンを示す模式図である。
【図７】本発明の一実施例による感光ユニットの色彩を校正する方法の焦点調整が完了した後の幾何校正パターンを示す模式図である。
【図８】本発明の一実施例による感光ユニットの色彩を校正する方法のオートホワイトバランス設定ウィンドウの設定数値を示す図である。
【図９】本発明の一実施例による感光ユニットの色彩を校正する方法の自動露出補正設定の設定数値を示す図である。
【図１０】本発明の一実施例による感光ユニットの色彩を校正する方法の特殊設定の設定数値を示す図である。
【図１１】本発明の一実施例による感光ユニットの色彩を校正する方法のシャッター画面輝度置換設定の設定数値を示す図である。
【図１２】本発明の一実施例による感光ユニットの色彩を校正する方法のカラーカードを示す模式図である。
【図１３】本発明の一実施例による感光ユニットの色彩を校正する方法の第二応用プログラムのメイン画面Ｂを示す模式図である。
【図１４】本発明の一実施例による感光ユニットの色彩を校正する方法のメイン画面Ｂのカラーブロックを示す模式図である。
【図１５】本発明の一実施例による感光ユニットの色彩を校正する方法の校正調整ウィンドウを示す図である。
【図１６】本発明の一実施例による感光ユニットの色彩を校正する方法の校正調整ウィンドウを示す図である。
【図１７】本発明の一実施例による感光ユニットの色彩を校正する方法の校正調整ウィンドウを示す図である。
【図１８】本発明の一実施例による感光ユニットの色彩を校正する方法の校正調整ウィンドウを示す図である。
【符号の説明】
【００３６】
１  コンピューター化舌象診察システム、３  カラーカード、１１  コンピューター本体、１２  表示ユニット、１３  入力装置、１４  撮影装置、１５  設備配置スタンド、１６  受け台、１７  マスク、１８  単独選択制御ボタン、１９  調整制御ボタン、３１  カラーブロック、３２  枠区域、３３  枠、４１  可動円形パターン、４２  固定円形パターン、４３  標準白色確認ランプ、３１１  青色ブロック、３１２  緑色ブロック、３１３  赤色ブロック、３１４  黒色ブロック、３１５  白色ブロック、３１６  水色ブロック、３１７  ピンク色ブロック、３１８  黄色ブロック、Ａ  単独選択設定ウィンドウ、Ｂ  メイン画面、Ｃ  色彩校正パターン
【図１】
2007333719.tif 000003
【図２】
2007333719.tif 000004
【図３】
2007333719.tif 000005
【図４】
2007333719.tif 000006
【図５】
2007333719.tif 000007
【図６】
2007333719.tif 000008
【図７】
2007333719.tif 000009
【図８】
2007333719.tif 000010
【図９】
2007333719.tif 000011
【図１０】
2007333719.tif 000012
【図１１】
2007333719.tif 000013
【図１２】
2007333719.tif 000014
【図１３】
2007333719.tif 000015
【図１４】
2007333719.tif 000016
【図１５】
2007333719.tif 000017
【図１６】
2007333719.tif 000018
【図１７】
2007333719.tif 000019
【図１８】
2007333719.tif 000020